(57)【要約】【課題】軽量で納骨室を広く取ることができ、家名や戒名、俗名等を書き込んだプレートが取付けられるようにすると共に、蝋燭や線香の火で焦げ付くことのない簡易墓碑を提供する。【解決手段】地面にアンカー３０によって固定される敷座２２と、該敷座２２上に固定される下部中台座２３及び上部中台座２４と、上部中台座上に固定される竿部２５とよりなり、全体がＦＲＰで形成され、下部中台座２３は蝋燭立て２８、線香置き２９が設けられる上面に厚さ数mm乃至数cm程度の薄い石材よりなる耐熱材層２６が設けられている。【選択図】図２
2006265843.tif 000002
【特許請求の範囲】
【請求項１】
蝋燭立て、線香置き等を備え、かつ骨壷が納められる納骨室を備えた簡易墓碑において、少なくとも蝋燭立て、線香置きが取付けられる箇所に金属や石等の耐熱性材を設け、他の箇所を硬質樹脂、ＦＲＰ、金属或いは木製としたことを特徴とする墓碑。
【請求項２】
数珠、蝋燭、マッチ、線香等の小物を入れることができる物入れを設けたことを特徴とする請求項１記載の墓碑。
【請求項３】
花立てと、注水口を有するジャケット又は墓碑を構成する中空状の台座と、上記花立てに入れられる水のレベルが一定となるように、上記ジャケット内又は台座に貯留される水を花立てに給水する自動給水手段とを設けたことを特徴とする請求項１又は２記載の墓碑。
【請求項４】
上記ジャケットが墓碑上部に設けられ、該ジャケットの多数の小穴より水が墓碑を伝い落ちるように構成されることを特徴とする請求項３記載の墓碑。
【請求項５】
太陽電池パネルと、墓碑内に設置され、上記太陽電池パネルより供給された電気エネルギーを貯留するバッテリーと、明るさを検出するセンサーと、該センサーによって検出された明るさが設定値以下になると、上記バッテリーを電源として点燈し、墓碑を照らす照明手段とを設けたことを特徴とする請求項１〜４のいずれかの請求項に記載の墓碑。
【請求項６】
太陽電池パネルと、墓碑内に設置され、上記太陽電池パネルより供給された電気エネルギーを貯留するバッテリー及びカセットテープレコーダ、ＣＤ或いはＭＤプレイヤーを設けたことを特徴とする請求項１〜４のいずれかの請求項に記載の墓碑。
【発明の詳細な説明】
【技術分野】
【０００１】
本発明は、骨壷が納められる納骨室を備えた簡易墓碑に関する。
【背景技術】
【０００２】
墓碑として知られる墓石は一般に、図１に示すように、敷石１と、該敷石上に設置される下部中台石２及び上部中台石３と、上部中台石上に設置される竿石４とで構成され、竿石４には、家名、戒名、俗名等が彫り込まれ、また敷石１と下部中台石２には、内部にくり抜いた納骨室が形成されている。図中、５は花立て、６は線香置きである。
【０００３】
こうした墓石は概して重量が大で、持ち運びや設置が容易でなく、地震や台風等の災害により墓石がずれたり転倒したりすると、元通りに直すのに費用が嵩むこと、納骨室が概して狭く、骨壷を多く納めることができないこと、新たに納骨するため戒名や俗名の文字彫りに手間や費用が嵩むうえ、スペースがないと、墓石に戒名や俗名を入れることもできないこと等の難点があった。こうした問題に対処するため、下記特許文献１には、墓石を樹脂成形品として内部に納骨が可能な内部空間を設け、竿部の表面に形成される凹部に家名、戒名、俗名等を印したプレートを装着して貼り付けたものが開示されている。
【特許文献１】実用新案登録第３０４３６９３号
【発明の開示】
【発明が解決しようとする課題】
【０００４】
樹脂製の墓石は、軽量で持ち運びや設置が容易であり、地震や台風でずれたり、倒れたりしても元通りに直すのが容易であること、内部空間の広い成形品を容易に得ることができ、納骨室を広く取って多くの骨壷を納めることができること、プレートを取外して必要な家名、戒名、俗名等を書き込んだプレートに取り換えるのが容易で、書き込みも容易に行えること、等の利点を有するが、墓石には蝋燭を立てたり、線香を供えることが多く、蝋燭立てや線香置きを設置したとしても、倒れたり、風で線香が飛んで、樹脂製の墓石を焦げ付かせ、外観を損なうおそれがある。
【０００５】
墓石にはまた一般に花立てが設けられ、生花が差込んで供えられるようになっているが、お彼岸や盆のように、生花が備えられることの多い時季、ことにお盆の時期では日差しがきつく、花立てに注いだ水がすぐに蒸発して備えた生花が萎れたり、枯れたりしがちである。
【０００６】
また墓参は、遠方からの場合ことに夜間での墓参が珍しくないが、夜間は足元が悪いうえ、墓石に書き込まれた戒名や俗名等の確認が容易でない。
【０００７】
本発明の第１の目的は、軽量で納骨室を広く取ることができ、家名や戒名、俗名等を書き込んだプレートが取付けられるようにすると共に、蝋燭や線香の火で焦げ付くことのない簡易墓碑を提供しようとするものであり、
第２の目的は、花立てへの自動給水を行って花立てに差込んで供えた生花が長持ちできるようにした簡易墓碑を提供しようとするものである。
【０００８】
本発明の第３の目的は、ソーラーシステムによって夜間でのライトアップを可能とし、懐中電灯がなくても墓周りの足元や墓碑に書き込まれた文字の確認ができるようにした簡易墓碑を提供しようとするものである。
【０００９】
更に第４の目的は、ソーラーシステムによってテープやＣＤ、ＭＤ等の記録媒体に吹き込んだお経や、故人の肉声等が流れるようにした簡易墓碑を提供しようとするものである。
【課題を解決するための手段】
【００１０】
請求項１に係わる発明は、第１の目的を達成する簡易墓碑に関するもので、蝋燭立て、線香置き等を備え、かつ骨壷が納められる納骨室を備えた簡易墓碑において、少なくとも蝋燭立て、線香置きが取付けられる箇所に金属や石等の耐熱性材を設け、他の箇所を硬質樹脂、ＦＲＰ、金属或いは木製としたことを特徴とする。
【００１１】
本発明の簡易墓碑としては、例えば図１に示すようなタイプのものや、図４に示すようなタイプの敷座５２、該敷座５２上に設置される台座５３、該台座５３上に設置される戒名、俗名等を書き込んだ卒塔婆５４等が挙げられる。
【００１２】
蝋燭立てや線香置きが取付けられる箇所は、例えば図１に示す墓石タイプのものでいえば、蝋燭立て５や線香置き６が設けられる下部中台石３全体、下部中台石３のうち、上面全体、前側上面、或いはそれらの表面に露出する部分で、これらの箇所は全体を耐熱性材で形成してもよいし、これらの箇所に耐熱性材を貼付けてもよい。
【００１３】
請求項２に係わる発明は、請求項１に係わる発明において、数珠、蝋燭、マッチ、線香等の小物を入れることができる物入れを設けたことを特徴とし、この物入れには好ましくは鍵が掛けられるようにされる。
【００１４】
請求項３に係わる発明は、第２の目的を達成する簡易墓碑に関するもので、請求項１又は２に係わる発明において、花立てと、注水口を有するジャケット又は墓碑を構成する中空状の台座と、上記花立てに入れられる水のレベルが一定となるように、上記ジャケット内又は台座に貯留される水を花立てに給水する自動給水手段とを設けたことを特徴とする。
【００１５】
本発明における自動給水手段としては、水位が下がると、バルブが開いて給水が行われるフロートバルブが簡易かつ安価であって好ましい。
【００１６】
本発明における花立てには、蛇口を備えたドレンを設け、花立て内が容易に清掃できるようにしておくのが望ましい。
【００１７】
請求項４に係わる発明は、請求項３に係わる発明において、上記ジャケットが墓碑上部に設けられ、該ジャケットの多数の小穴より水が墓碑を伝い落ちるように構成されることを特徴とする。
【００１８】
請求項５に係わる発明は、第３の目的を達成する簡易墓碑に関するもので、請求項１〜４に係わる発明において、太陽電池パネルと、墓碑内に設置され、上記太陽電池パネルより供給された電気エネルギーを貯留するバッテリーと、明るさを検出するセンサーと、該センサーによって検出された明るさが設定値以下になると、上記バッテリーを電源として点燈し、墓碑を照らす照明手段とを設けたことを特徴とする。
【００１９】
本発明における照明手段は、墓碑全体を照射するものであってもよいし、墓碑の１部を照射するものであってもよく、また複数の照明手段で色の異なった照明、例えば墓碑上部を黄色に、墓碑下部を赤色に照らすようにしてもよい。
【００２０】
請求項６に係わる発明は、第４の目的を達成する簡易墓碑に関するもので、請求項１〜４に係わる発明において、太陽電池パネルと、墓碑内に設置され、上記太陽電池パネルより供給された電気エネルギーを貯留するバッテリー及びカセットテープレコーダ、ＣＤ或いはＭＤプレイヤー（以下、単にカセットテープレコーダ等という）を設けたことを特徴とする。
【発明の効果】
【００２１】
請求項１に係わる発明によると、火の付いた蝋燭や線香が風で倒れるようなことがあっても、少なくとも蝋燭立てや線香置きの取付けられる箇所が金属や石等の耐熱性材で形成されているため、焦げ付くことはなく、焦げ付きによる外観が損なわれることもない。また上記箇所以外は硬質樹脂、ＦＲＰ、金属、木製で内部に大きな空洞を形成することができるため、軽量化が可能となると共に、骨壷その他のものを納める納骨室を広く取ることができ、またプレートを両面テープ等で貼り付けることにより、戒名や俗名等の追加、削除等が容易にできる。
【００２２】
請求項２に係わる発明によると、墓参に必要なものを墓碑の物入れに入れておくことにより、墓参の都度、数珠、蝋燭、マッチ、線香等を用意する必要がなく、墓参が手軽に行えるようになる。
【００２３】
請求項３に係わる発明によると、花立てに自動給水ができるようにしたことにより、夏場においても備えた生花が長持ちできるようになる。
【００２４】
請求項４に係わる発明によると、ジャケットに水がある限り、長時間にわたって墓碑に水を上部から流すことができ、墓碑の汚れを落としてきれいに保つことができる。
【００２５】
請求項５に係わる発明によると、夜間になると墓碑がライトアップされるため、夜間での墓参時に懐中電灯がなくでも足元の確認が容易になると共に、墓碑に書き込まれた文字の確認が容易に行え、また人の注意も惹くようになる。ことに照明をカラフルにすると、美観を醸し出し、墓碑をより一層引立たせることができる。
【００２６】
請求項６に係わる発明によると、カセットテープレコーダ等や電源のバッテリーを納めておくことが可能で、カセットテープやＣＤ、ＭＤ等の記録媒体にお経や故人の肉声を入れておくことにより、墓参時にそれを聞くことが可能となる。
【発明を実施するための最良の形態】
【００２７】
以下、本発明の簡易墓碑について図面を参照して説明する。
図２及び図３は、図１に示す墓石タイプの墓碑２１について示すもので、図２は、墓碑２１の全体構成を示す斜視図、図３は断面図である。墓碑２１は。地面にアンカー３０によって固定される敷座２２と、該敷座２２上に固定される下部中台座２３及び上部中台座２４と、上部中台座上に固定される竿部２５とよりなり、全体がＦＲＰで形成されている。そして下部中台座２３は図３に示すように、上面に厚さ数mm乃至数cm程度の薄い石材よりなる耐熱材層２６が設けられている。
【００２８】
下部中台座２３、上部中台座２４及び竿部２５は、共に内部が中空で、下部中台座２３は内部が納骨室２７とされ、前面２３ａがヒンジにより上下方向に回動して開閉できるようになっている。
【００２９】
下部中台座２３はまた、正面側の上面中央部に蝋燭立て２８が突設されると共に、線香置き２９が凹設され、両側には自動給水手段を構成するフロート弁（図示しない）を備えた花立て３１が設けられており、正面には、数珠、蝋燭、マッチ、線香等が入れられる物入れとしての引き出し３２が出し入れ可能に取付けられている。なお、上述する蝋燭立て２８、線香立て２９及び花立て３１は、防錆のため亜鉛メッキ処理された鋼製となっている。
【００３０】
上述する線香置き２９は、線香を横向きに供えられるようにしてもよいし、縦向きに供えられるようにしてもよい。いずれにしても、線香置き２９の上部には、屋形の庇を設け、線香置き２９に供える線香が雨に濡れないようにしておくのが望ましい。
【００３１】
上部中台座２４は内部が前半分２４ａと後半部２４ｂに二分割され、前半分２４ａは密閉構造をなして上面に設けた注水口（図２には、注水口に着脱可能に取付けられるキャップ３８が示してある。）より水が注水されて貯留されるようにしてあり、下部には花立て３１上部に開口する給水管３３が接続され、この給水管３３は上述の図示しないフロート弁の昇降により開閉されるようになっている。すなわち花立て３１内の水位が一定レベル以下になり、フロート弁が降下すると、給水管３３が開いて花立て３１への給水が行われ、花立て３１内の水位が一定レベルに達してフロート弁が上昇すると、給水管３３が閉じて給水が停止し、花立て３１への自動給水が行われるようになっている。
【００３２】
上部中台座２４の後半分２４ｂは、後面がヒンジにより上下方向に回動して開閉できるようになっており、内部には、図示しない太陽電池パネルより電気エネルギーが供給されて貯留されるバッテリーと、該バッテリーを電源とするカセットテープレコーダ３４が納めてあり、背面をあけてカセットテープレコーダ３４を操作することにより記録媒体であるテープに録音されたお経や故人の肉声等を流すことができるようにしてある。このカセットテープレコーダ３４はＣＤやＭＤのプレイヤーに代えてもよい。
【００３３】
上部中台座２４にはまた、前面と上面に上記バッテリーを電源として点燈する照明器具としてのライト３６、３７が取付けてあり、明るさを検出するセンサー（図示しない）が暗闇となって明るさが設定値以下になると、ライト３６、３７へのスイッチをＯＮにしてライト３６が下部中台座２３の蝋燭立て２８、線香たて２９及び花立て３１のある箇所を照らす一方、ライト３７が竿部２５の前面を照らすようにしてある。これらのライト３６、３７は、上部中台座２４の四囲に設けて墓碑全体をライトアップするようにしてもよいし、着色ライト、例えばライト３６を赤色、ライト３７を黄色にして着色光でライトアップするようにしてもよい。
【００３４】
竿部２５には、前面の凹部４１に家名、戒名、俗名等を書き込んだプレート４２が例えば両面テープにより接着されるようになっており、上部にはジャケット４３が取付けられ、ジャケット下端に形成される無数の小さな小穴４６よりジャケット内の水が排水されて竿部２５の前後面と左右の側面に垂れ流せるようにしてある。図中、４４はジャケット４３への給水口で、キャップ４５が取外し可能に被せてある。上述のジャケット４３は竿部２５の上部以外に竿部２５の側部に設けてもよいし、竿部全体をジャケットとしてもよい。
【００３５】
上述するプレート４２は、竿部２５の前面のみならず、必要によっては竿部２５の後面、更には左右の両側面に取付けられる。
【００３６】
上記実施形態の墓碑２１では、下部中台座２３の前面、上部中台座２４の後面がヒンジにより開閉可能とされ、下部中台座２３には更に引き出し３２が設けられているが、これらには図示していないが鍵が掛けられるようにしてある。
【００３７】
上記実施形態での墓碑２１では、下部中台座２３の内部が納骨室となっているが、納骨室を地中埋め込み型にしてもよいし、下部中台座２３と地中の双方に設けるようにしてもよい。
【００３８】
上記実施形態の墓碑２１はまた、敷座２２、下部中台座２３、上部中台座２４、竿部２５がＦＲＰ製となっているが、硬質樹脂や亜鉛メッキ処理された鋼板やステンレス鋼板、或いは木製としてもよく、また敷座２２はコンクリート製としてもよい。敷座２２、下部中台座２３、上部中台座２４及び竿部２５をＦＲＰ乃至樹脂製とする場合、これら敷座２２、下部中台座２３、上部中台座２４及び竿部２５は型成形されるが、これらは全体を一体に成形してもよいし、個別に成形して接着剤等により一体に固着してもよい。
【００３９】
上記実施形態の墓碑２１ではまた、蝋燭立て２８を儲け、蝋燭を立てられるようにしているが、蝋燭立て２８に代えて上記バッテリーを電源として点燈するランプを供えた蝋燭状のものを設けてもよい。
【００４０】
図４は、卒塔婆タイプの墓碑５１について示すもので、地面にアンカー５８により固定される敷座５２と、敷座５２上に固定される台座５３と、台座５３上に縦設される卒塔婆５４よりなり、台座５３は内部が中空状をなして納骨室となり、全体がＦＲＰで形成されている。そして前側上面中央部には、蝋燭立て５５と線香置き５６が設けられると共に、両側に花立て５７が設けられている。
【００４１】
卒塔婆５４には、前面に家名、戒名、俗名等が書き込まれるプレート（図示しない）が貼り付けられる。
【００４２】
本実施形態の墓碑５１には、前述の墓碑２１と同様、太陽電池パネルやバッテリー、カセットテープレコーダ、照明器具等を取付けるようにしてもよいし、小物を入れる引き出しを取付けてもよい。
【図面の簡単な説明】
【００４３】
【図１】従来の墓石の斜視図。
【図２】本発明に係わる墓碑の斜視図。
【図３】同断面図。
【図４】本発明に係わる卒塔婆の斜視図。
【符号の説明】
【００４４】
２１、５１・・墓碑
２２、５２・・敷座
２３・・下部中台座
２４・・上部中台座
２５・・竿部
２６・・耐熱材層
２７・・納骨室
２８、５５・・蝋燭立て
２９、５６・・線香置き
３０、５８・・アンカー
３１、５７・・花立て
３３・・給水管
３４・・カセットテープレコーダ
３６、３７・・ライト
３８、４５・・キャップ
４１・・凹部
４２・・プレート
４３・・ジャケット
５３・・台座
５４・・卒塔婆
【図１】
2006265843.tif 000003
【図２】
2006265843.tif 000004
【図３】
2006265843.tif 000005
【図４】
2006265843.tif 000006